(57)【要約】【課題】本発明は、ランプシェードの取付け及び取外しを容易に行うことができるランプを提供することを目的とする。【解決手段】本発明に係るランプ１００は、発光部２３を有するランプ本体２０と、前記発光部２３を覆うランプシェード３０と、を備え、前記ランプ本体２０の前記ランプシェード３０に近接する端部には、取付溝２２１が設けられ、前記ランプシェード３０の前記ランプ本体２０に近接する端部には、前記取付溝２２１に対応する位置に配設された係合片３２が設けられ、前記係合片３２は、前記ランプシェード３０に接続されて前記ランプシェード３０の端部から突出した連接部３２１と、前記連接部３２１の先端に形成される係合部３２２と、を備え、前記係合部３２２が前記取付溝２２１に係合されることによって、前記ランプシェード３０が前記ランプ本体２０に装着される。【選択図】図１
2013101864.tif 000002
【特許請求の範囲】
【請求項１】
発光部を有するランプ本体と、前記発光部を覆うランプシェードと、を備えるランプであって、
前記ランプ本体の前記ランプシェードに近接する端部には、取付溝が設けられ、
前記ランプシェードの前記ランプ本体に近接する端部には、前記取付溝に対応する位置に配設された係合片が設けられ、
前記係合片は、前記ランプシェードに接続されて前記ランプシェードの端部から突出する連接部と、前記連接部の先端に形成される係合部と、を備え、前記係合部が前記取付溝に係合されることによって、前記ランプシェードが前記ランプ本体に装着されることを特徴とするランプ。
【請求項２】
前記ランプ本体は、ランプハウジングと、前記ランプハウジングの端部に設けられる取付プレートと、を備え、前記取付溝は、前記取付プレートの上表面に設けられることを特徴とする請求項１に記載のランプ。
【請求項３】
前記取付プレートは、円盤状を呈し、
前記取付溝は、複数設けられ、前記取付プレートの円周方向に均等に配設され、前記係合片は、複数設けられ、前記取付溝に対応する位置に配設されていることを特徴とする請求項２に記載のランプ。
【請求項４】
各々取付溝内には、ラッチバーが設けられ、前記ラッチバーは、前記取付溝の長さ方向の一端から他端へ向かって前記取付プレートの円周方向に沿って延在され、前記ラッチバーの先端と前記取付溝の他端との間に切込み口が形成され、
前記ラッチバーは、前記取付溝の前記円周方向に沿って延在する内壁に対して、前記取付プレートの半径方向に隙間を開けて配設されており、前記ラッチバーと前記取付溝の内壁との間に第一スロットが形成され、
前記ラッチバー２２１１は、前記取付溝の底壁に対して、前記取付プレートの軸方向に隙間を開けて配設されており、前記ラッチバーと前記底壁との間には、前記第一スロットに直交して前記取付プレートの外周面を貫穿する第二スロットが形成され、
前記切込み口、前記第一スロット及び前記第二スロットはそれぞれ、互いに連通され、
前記係合片を前記切込み口から前記取付溝内に入れてから、前記ランプシェードを前記ランプ本体に対して相対的に前記取付プレートの軸線回りに回転させ、前記連接部を前記第一スロットに沿って移動させることによって、前記係合部が前記第二スロット内に係合されることを特徴とする請求項３に記載のランプ。
【請求項５】
前記取付プレートには、前記発光部として発光ダイオードが設けられ、前記ランプハウジング内には、前記発光ダイオードに電気的に接続される駆動回路モジュールが収容されることを特徴とする請求項２から４の何れか一項に記載のランプ。
【請求項６】
前記ランプハウジングは、熱伝導性が優れた材料からなり、前記ランプハウジングの外周面には、複数の放熱フィンが設けられることを特徴とする請求項１から５の何れか一項に記載のランプ。
【請求項７】
前記各々の取付溝は、第一収容孔と、第二収容孔と、前記第一収容孔と前記第二収容孔とを接続するスロットと、を備え、前記第一収容孔の直径が前記第二収容孔の直径より大きく、前記スロットは前記円周方向に沿って延在する細長いアーチ形であり、幅が前記第二収容孔の直径より小さく、
前記係合件片を前記第一収容孔から前記取付溝内に入れてから、前記ランプシェードを前記ランプ本体に対して相対的に前記取付プレートの軸線回りに回転させ、前記連接部を前記スロットに沿って移動させることによって、前記係合部が前記第二収容孔内に係合されることを特徴とする請求項３に記載のランプ。
【請求項８】
前記係合片の前記連接部は、円柱状であり、前記係合部は、前記連接部の外径より大径の半球形であることを特徴とする請求項７項に記載のランプ。
【請求項９】
前記取付溝は、第一収容スロットと、前記第一収容スロットに直交すると共に連通する第二収容スロットと、を備え、前記第一収容スロットは、前記取付プレートの上表面から下向きに凹設され、前記第二収容スロットは、前記第一収容スロットの底部から前記取付プレートの半径方向外側に向かって垂直に延在され、前記第一収容槽の開口部と前記第二収容槽の開口部との間には、前記取付プレートの外縁に位置するラッチバーが形成され、
前記係合片を前記第一収容スロットから前記取付溝内に入れることで、前記係合部が前記第二収容スロットに収容され、且つ前記ラッチバーに係合されることを特徴とする請求項３項に記載のランプ。
【請求項１０】
前記係合部には、前記取付プレートの上表面に対して傾斜する斜面が形成され、
前記ランプシェードを前記ランプ本体に取り付ける時、前記斜面が前記ラッチバーに当接することで、前記係合片の連接部が弾性変形することを特徴とする請求項９項に記載のランプ。
【発明の詳細な説明】
【技術分野】
【０００１】
本発明は、照明装置に関し、特にランプに関するものである。
【背景技術】
【０００２】
発光ダイオード（Ｌｉｇｈｔ  Ｅｍｉｔｔｉｎｇ  Ｄｉｏｄｅ，ＬＥＤ）は、長寿命、低消費電力、水銀を一切使用しない等環境に優しいという利点を有するので、様々なランプに広く応用されている。従来のランプは、ランプハウジングと、前記ランプハウジングに収容されるＬＥＤモジュールと、前記ランプハウジングに装着され、且つ前記ＬＥＤモジュールを覆うランプシェードと、を備える。前記ランプシェードを前記ランプハウジングに取付ける時、前記ランプシェードの貫通孔を前記ランプハウジングのネジ孔に位置合わせし、ネジを貫通孔に通してネジ孔に螺合させることで、前記ランプシェードを前記ランプハウジングに装着する。
【発明の概要】
【発明が解決しようとする課題】
【０００３】
しかしながら、上記した従来の技術では、前記ランプシェードを取付けたり取外したりする時、特定の作動具を使用する必要があり、ランプシェードの着脱操作が煩雑である。
上記問題点に鑑みて、本発明は、ランプシェードの取付け及び取外しを容易に行うことができるランプを提供することを目的とする。
【課題を解決するための手段】
【０００４】
本発明に係るランプは、発光部を有するランプ本体と、前記発光部を覆うランプシェードと、を備え、前記ランプ本体の前記ランプシェードに近接する端部には、取付溝が設けられ、前記ランプシェードの前記ランプ本体に近接する端部には、前記取付溝に対応する位置に配設された係合片が設けられ、前記係合片は、前記ランプシェードに接続されて前記ランプシェードの端部から突出した連接部と、前記連接部の先端に形成される係合部と、を備え、前記係合部が前記取付溝に係合されることによって、前記ランプシェードが前記ランプ本体に装着される。
【発明の効果】
【０００５】
本発明に係るランプでは、前記係合片の係合部を前記取付溝に係合させるだけで、前記ランプシェードを前記ランプ本体に装着でき、且つ前記ランプシェードは前記ランプ本体に対して取付け及び取外しが自在なため、操作が簡単であり、しかも低コストである。
【図面の簡単な説明】
【０００６】
【図１】本発明の第一実施形態に係るランプの分解図である。
【図２】図１に示したランプの組立図である。
【図３】本発明の第二実施形態に係るランプの分解図である。
【図４】図３とは別の角度から見たランプシェードの斜視図である。
【図５】本発明の第三実施形態に係るランプの分解図である。
【発明を実施するための形態】
【０００７】
以下、図面を参照して、本発明の実施形態について説明する。
【０００８】
図１及び図２に示したように、本発明に係る第一実施形態のランプ１００は、ランプソケット１０と、前記ランプソケット１０に固定されたランプ本体２０と、前記ランプ本体２０に装着されるランプシェード３０と、を備える。
【０００９】
前記ランプソケット１０は、電源（図示せず）に電気的に接続するために使用される。前記ランプソケット１０は、標準ソケットであり、前記ランプ１００を従来の白熱灯やコンパクト蛍光灯電球に置き換えることができる。
【００１０】
前記ランプ本体２０は、ランプハウジング２１と、前記ランプハウジング２１の端部に設けられた取付プレート２２と、前記取付プレート２２に設けられた３つの発光ダイオード２３（発光部）と、を備える。
【００１１】
前記ランプハウジング２１は、銅、アルミニウムなどのような熱伝導性に優れた材料からなる。前記ランプハウジング２１は、漏斗状の形状であり、外径が上から下へ向かって漸次縮径されている。前記ランプソケット１０は、前記ランプハウジング２１の下端に連設される。前記取付プレート２２は、前記ランプハウジング２１の上端に配設される。前記ランプハウジング２１内には、前記発光ダイオード２３及びランプソケット１０に電気的に接続される駆動回路モジュール（図示せず）が収容される。前記ランプハウジング２１の外表面には、発光ダイオード２３から発生した熱量を外に向かって放散させる複数の放熱フィン２１１が形成される。
【００１２】
前記取付プレート２２は、円盤状であり、その上表面の周縁、すなわち、取付プレート２２の外周面と上表面との間の角部分には、段差状に切り欠いた３つの取付溝２２１が取付プレート２２の円周方向に均等に配設されると共に取付プレート２２の軸線回りに回転対称（１２０度）に形成される。前記取付溝２２１は、前記取付プレート２２の円周方向に沿って延在する細長い形である。各々の取付溝２２１内には、ラッチバー２２１１が設けられている。前記ラッチバー２２１１は、前記取付溝２２１の長さ方向の一端から他端へ向かって前記取付プレート２２の円周方向に沿って延在して先端が自由端となっており、前記ラッチバー２２１１の先端と前記取付溝２２１の他端との間に切込み口２２１２が形成される。前記ラッチバー２２１１は、前記取付溝２２１の前記円周方向に沿って延在する内壁に対して、前記取付プレート２２の半径方向に隙間を開けて配設されており、前記ラッチバー２２１１と前記取付溝２２１の内壁との間に第一スロット２２１３が形成されている。また、前記ラッチバー２２１１は、前記取付溝２２１の底壁に対して、前記取付プレート２２の軸方向に隙間を開けて配設されており、前記ラッチバー２２１１と前記取付溝２２１の底壁との間には、前記第一スロット２２１３に対してスロット幅方向及びスロット深さ方向が直交して前記取付プレート２２の外周面を貫穿する第二スロット２２１４が形成される。前記切込み口２２１２、前記第一スロット２２１３及び前記第二スロット２２１４はそれぞれ、互いに連通している。本実施形態において、３つのラッチバー２２１１は、上面視において取付溝２２１の一端から反時計回りの方向に向かって延出している。
【００１３】
前記発光ダイオード２３は、前記取付プレート２２の上表面の中央部分に設けられ、且つ直線状に配列される。
【００１４】
前記ランプシェード３０は、透光性材料からなり、底部が開口した中空の半球状のカバーである。前記ランプシェード３０は、前記取付プレート２２に取付けられ、且つ前記発光ダイオード２３を被覆する。前記ランプシェード３０の底端には、前記取付プレート２２に当接する円環状の当接部３１が形成される。前記当接部３１には、当接部３１の円周方向に均等に配設された３つの係合片３２が設けられる。各々の係合片３２は、およそＬ形を呈し、前記当接部３１から前記ランプ本体２０に向かって突出する連接部３２１と、前記連接部３２１から前記当接部３１の半径方向の外側に向かって突出する係合部３２２と、を備える。
【００１５】
図１及び図２に示すように、前記ランプシェード３０を前記ランプ本体２０に取付ける時、まず前記ランプシェード３０の係合片３２の係合部３２２を前記取付プレート２２の取付溝２２１の切り口２２１２に位置合わせし、それから前記ランプシェード３０を前記ランプ本体２０に対して相対的に下向きに移動させ、前記ランプシェード３０の係合片３２の連接部３２１及び係合部３２２を前記切込み口２２１２に収容させる。その後、前記ランプシェード３０を前記ランプ本体２０に対して相対的に上面視時計回りの方向に回転させ、前記係合片３２の連接部３２１を前記取付溝２２１の第一スロット２２１３に沿って移動させるとともに、前記係合片３２の係合部３２２を前記取付溝２２１の第二スロット２２１４に沿って移動させ、前記係合片３２を前記取付溝２２１のラッチバー２２１１の前記一端、すなわち前記ラッチバー２２１１の基端側の取付溝２２１の内面に当接させる。この時、前記係合片３２の係合部３２２も、前記ラッチバー２２１１に係合される。以上により前記ランプシェード３０の前記ランプ本体２０に対する取付けが完了する。前記ランプシェード３０を取り外す時は、上述した取付け操作と逆の操作を行うだけでよい。すなわち、まず前記ランプシェード３０を前記ランプ本体２０に対して相対的に上面視反時計回りの方向に回転させて前記係合片３２の連設部３２１及び係合部３２２を前記切込み口２２１２に収容させ、その後、前記ランプシェード３０を前記ランプ本体２０に対して相対的に上向きに移動させる。以上により前記ランプシェード３０を前記ランプ本体２０から取外すことができる。したがって、従来のネジによる締結構造に比べて、前記ランプシェード３０の着脱操作が容易になり、しかも低コストになる。
【００１６】
図３に示したように、本発明に係る第二実施形態のランプ１００ａは、前記第一実施形態に係るランプ１００と構造が概ね同じであるので、上述した第一実施形態と異なる部分についてのみ、詳細に説明する。前記ランプ１００ａにおいて、取付プレート２２ａの中央部分には、１つの発光ダイオードのみが設けられ、前記取付プレート２２ａの上表面の外周部には、前記取付プレート２２ａの円周方向に均等に配設された３つの取付溝２２２が設けられる。前記取付溝２２２は、前記取付プレート２２ａの外縁よりもその半径方向の内側に位置し、前記取付プレート２２ａを貫通している。前記取付溝２２２の形状は細長く、前記取付プレート２２ａの円周方向に沿って延在する。各々の取付溝２２２は、前記取付プレート２２ａの長さ方向の一端に位置する第一収容孔２２２１と、前記長さ方向の他端に位置する第二収容孔２２２２と、前記第一収容孔２２２１と前記第二収容孔２２２２とを接続するスロット２２２３と、を備える。
【００１７】
前記第一収容孔２２２１と前記第二収容孔２２２２は、上面視円形の孔であり、前記第一収容孔２２２１の直径は前記第二収容孔２２２２の直径より大きい。前記スロット２２２３は前記円周方向に沿って延在する細長いアーチ形であり、幅は前記第二収容孔２２２２の直径より小さい。また、前記第一収容孔２２２１は、上面視において、前記第二収容孔２２２２に対して時計回りの方向に位置する。図４を参照すると、前記ランプシェード３０ａの係合片３２ａは、前記ランプシェード３０ａの当接部３１から前記ランプ本体２０ａに向かって突出する円柱状の連接部３２１ａと、前記連接部３２１ａの先端に連設されていると共に前記連接部３２１ａの外径よりも大径の半球状の係合部３２２ａと、を備える。
【００１８】
前記ランプシェード３０ａを前記ランプ本体２０ａに装着する時、まず前記ランプシェード３０ａの係合片３２ａを前記取付プレート２２ａの取付溝２２２の第一収容孔２２２１に位置合わせし、それから前記ランプシェード３０ａを前記ランプ本体２０ａに対して相対的に下向きに移動させる。その後、前記ランプシェード３０ａを前記ランプ本体２０ａに対して相対的に上面視反時計回りの方向に回転させ、前記係合件３２ａの連接部３２１ａを前記取付溝２２２のスロット２２２３に沿って移動させ、前記係合件３２ａの連接部３２１ａを前記取付溝２２２の第二収容孔２２２２に収容させる。この時、前記係合片３２ａの係合部３２２ａは、前記取付プレート２２ａの第二収容孔２２２２に対して下方から係合される。以上により前記ランプシェード３０ａの前記ランプ本体２０ａに対する取付けが完了する。前記ランプシェード３０ａを取外す時は、まず前記ランプシェード３０ａを前記ランプ本体２０ａに対して相対的に上面視時計回りの方向に回転させて前記係合片３２ａの係合部３２２ａを第一収容孔２２２１に位置合わせし、その後、前記ランプシェード３０ａを前記ランプ本体２０ａに対して相対的に上向きに移動させるだけで、前記ランプシェード３０ａを前記ランプ本体２０ａから取外すことができる。したがって、従来のネジによる締結構造に比べて、前記ランプシェード３０ａの着脱操作が容易であり、低コストである。
【００１９】
図５に示したように、本発明に係る第三実施形態のランプ１００ｂは、前記第一実施形態に係るランプ１００と構造が概ね同じであるので、上述した第一実施形態と異なる部分についてのみ、詳細に説明する。取付プレート２２ｂには、前記取付プレート２２ｂの円周方向に均等に配設された３つの取付溝２２３が設けられる。各々の取付溝２２３は、断面視Ｌ形を呈し、第一収容スロット２２３１と、前記第一収容スロット２２３１に対してスロット幅方向及びスロット深さ方向が直交する第二収容スロット２２３２と、を備える。前記第一収容スロット２２３１は、前記取付プレート２２ｂの上表面から下向きに凹設される。前記第二収容スロット２２３２は、前記取付プレート２２ｂの外周面から前記取付プレート２２ｂの半径方向の内側に向かって凹設されており、第一収容スロット２２３１に連通している。すなわち、第二収容スロット２２３２は、前記第一収容スロット２２３１の底部から前記取付プレート２２ｂの半径方向の外側に向かって垂直に延在される。前記第一収容槽２２３１の開口部と前記第二収容槽２２３２の開口部との間には、前記取付プレート２２ｂの外縁に位置すると共に前記取付プレート２２ｂの円周方向に沿って延在するラッチバー２２３３が形成される。前記係合片３２ｂは、前記当接部３１から前記ランプ本体２０ｂに向かって突出する連接部３２１ｂと、前記連接部３２１ｂの先端から前記当接部３１の半径方向の外側に向かって突出する係合部３２２ｂと、を備える。前記係合部３２２ｂの先端側には、前記ランプ本体２０ｂの前記取付プレート２２ｂの上表面に対して傾斜した斜面３２３が形成される。
【００２０】
前記ランプシェード３０ｂを前記ランプ本体２０ｂに取り付ける時、まず前記ランプシェード３０ｂの係合片３２ｂを前記取付プレート２２ｂの取付溝２２３の第一収容スロット２２３１に位置合わせし、それから前記ランプシェード３０ｂを前記ランプ本体２０ｂに対して相対的に下向きに移動させる。これにより、まず前記係合片３２ｂの斜面３２３が前記ラッチバー２２３３に当接し、それから前記斜面３２３が前記ラッチバー２２３３に対して摺動しながら、前記係合片３２ｂの連接部３２１ｂが前記ランプシェード３０ｂの内方側に向かって弾性変形する。その結果、前記係合部３２２ｂが前記ラッチバー２２３３を越えると、前記取付溝２２３の第一収容スロット２２３１に挿入される。そして、弾性変形した前記係合件３２ｂの連接部３２１ｂが元の形状に復元され、前記係合部３２２ｂが、前記取付溝２２３の第二収容スロット２２３２内に収容され、前記ラッチバー２２３３に対して下方から係合される。以上により前記ランプシェード３０ｂの前記ランプ本体２０ｂに対する取付けが完了する。
【００２１】
なお、本発明は、取付溝及び係合片の数は３つに限定されず、これらの数は適宜変更することが可能であるが、取付溝及び係合片の数が複数であることが好ましい。
【符号の説明】
【００２２】
１００、１００ａ、１００ｂ  ランプ
１０                        ランプソケット
２０、２０ａ、２０ｂ        ランプ本体
２１                        ランプハウジング
２１１                      放熱フィン
２２、２２ａ、２２ｂ        取付プレート
２２１、２２２、２２３      取付溝
２２１１、２２３３          ラッチバー
２２１２                    切込み口
２２１３                    第一スロット
２２１４                    第二スロット
２２２１                    第一収容孔
２２２２                    第二収容孔
２２２３                    スロット
２２３１                    第一収容スロット
２２３２                    第二収容スロット
２３                        発光ダイオード（発光部）
３０、３０ａ、３０ｂ        ランプシェード
３１                        当接部
３２、３２ａ、３２ｂ        係合片
３２１、３２１ａ、３２１ｂ  連接部
３２２、３２２ａ、３２２ｂ  係合部
３２３                      斜面
【図１】
2013101864.tif 000003
【図２】
2013101864.tif 000004
【図３】
2013101864.tif 000005
【図４】
2013101864.tif 000006
【図５】
2013101864.tif 000007